(57)【要約】【課題】  地震に際しては免震作用を発揮し、断水時には給水作用を奏し、火災時には初期消火を達成することのできる構築物における自動消火システムを提供する。【解決手段】  貯留された水の動きによって水平方向に回転し、地震による振動を吸収することができる回転羽根４を有する水槽２を、躯体の剛心上に配置し、前記水槽２と給水管６とを給水配管７で連結するとともに、屋内に配設したスプリンクラー１０，１０と前記水槽２とを配水管９で連結して構築物における自動消火システムとする。【選択図】        図１
2005334349.tif 000002
【特許請求の範囲】
【請求項１】
貯留された水の動きによって水平方向に回転し、地震による振動を吸収することができる回転羽根を有する水槽を、躯体の剛心上に配置し、
前記水槽と給水管とを給水配管で連結するとともに、屋内に配設したスプリンクラーと前記水槽とを配水管で連結したこと
を特徴とする構築物における自動消火システム。
【請求項２】
前記水槽は、
全体が円筒形状をなし、中心部に立設した軸に、水の動きによって水平方向に回転するよう羽根部材が十文字状に配置されていること
を特徴とする請求項１に記載の構築物における自動消火システム。
【請求項３】
前記羽根部材は、
前記軸に近い下縁部を切欠き、羽根部材によって区画される水槽内の水が相互に連通するよう構成されていること
を特徴とする請求項２に記載の構築物における自動消火システム。
【請求項４】
前記水槽は、
槽内の水位を監視する水位計を屋内に有し、槽内の水位が低下したとき、槽内に給水するための補水用給水栓が給水配管に配設されていること
を特徴とする請求項１〜３のいずれかに記載の構築物における自動消火システム。
【請求項５】
前記水槽は、
前記スプリンクラーの作動で槽内が負圧となった時作動する通気弁を有すること
を特徴とする請求項１〜４のいずれかに記載の構築物における自動消火システム。
【請求項６】
前記水槽は、
浴室やトイレなどの水周りに給水可能な非常用給水栓を具備していること
を特徴とする請求項１〜５のいずれかに記載の構築物における自動消火システム。
【発明の詳細な説明】
【技術分野】
【０００１】
この発明は、各種の構築物、特に戸建て住宅における自動消火システムに関するものである。
【背景技術】
【０００２】
たとえば、特開平１０−８５３５５号公報（特許文献１）においては、戸建ての住宅において、住宅用の上部に配置した火災検知センサー及び消火薬剤散布手段と、レンジの周辺上部に配置した火災検知センサー及び消火薬剤散布手段と、上記各散布手段に夫々連結した消火薬剤供給手段と、上記各センサーの出力に応じて夫々上記消火薬剤供給手段を付勢する制御手段とより成ることを特徴とする住宅用自動消火装置が提案されている。
【０００３】
また、特開２００２−１３８５６８号公報（特許文献２）においては、高架水槽に逆止弁を取付け、屋内スプリンクラーヘッドに接続し、流水検出スイッチと給水配管に電磁弁を取付け、その間を制御ケーブル接続し、さらに逆止弁と連結送水口を取り付けた消火システムが提案されている。
【特許文献１】特開平１０−８５３５５号公報（特許請求の範囲、図１）
【特許文献２】特開２００２−１３８５６８号公報（特許請求の範囲、図４）
【発明の開示】
【発明が解決しようとする課題】
【０００４】
一般に、マンションなどの共同住宅では、１１階以上の場合には、法令でスプリンクラーの設置義務があるものの、１０階以下の共同住宅ではその義務はなく、まして戸建て住宅ではスプリンクラーの設置義務はなく、レンジの上部などに煙センサーや温度センサーを設けたもの、またはレンジからの熱によって溶融する金属を消火液放出ノズル先端に設けたものが知られている程度である。
【０００５】
そこで、特許文献１に記載のような住宅用自動消火装置が提案されているが、きわめて部分的な消火装置であって、地震に対する配慮についてはなんらの考慮もない。また、特許文献２の消火システムは、高架水槽に消火用水槽の機能を持たせ、重力を利用した圧力で消火するとともに、高架水槽内の水の動きにより地震時の振動を吸収することを目的としているが、戸建て住宅にこれを適用することは、建物の強度との関係からもきわめて難しく、実用上解決すべき課題があった。
【０００６】
この発明はかかる問題に鑑み、地震に際しては免震作用を発揮し、断水時には給水作用を奏し、火災時には初期消火を達成することのできる構築物における自動消火システムを提供することを目的とするものである。
【課題を解決するための手段】
【０００７】
前記の目的を達成するため、この発明の請求項１に記載の発明は、
貯留された水の動きによって水平方向に回転し、地震による振動を吸収することができる回転羽根を有する水槽を、躯体の剛心上に配置し、
前記水槽と給水管とを給水配管で連結するとともに、屋内に配設したスプリンクラーと前記水槽とを配水管で連結したこと
を特徴とする構築物における自動消火システムである。
【０００８】
また、この発明の請求項２に記載の発明は、
請求項１に記載の構築物における自動消火システムにおいて、
前記水槽は、
全体が円筒形状をなし、中心部に立設した軸に、水の動きによって水平方向に回転するよう羽根部材が十文字状に配置されていること
を特徴とするものである。
【０００９】
また、この発明の請求項３に記載の発明は、
請求項２に記載の構築物における自動消火システムにおいて、
前記羽根部材は、
前記軸に近い下縁部を切欠き、羽根部材によって区画される水槽内の水が相互に連通するよう構成されていること
を特徴とするものである。
【００１０】
また、この発明の請求項４に記載の発明は、
請求項１〜３のいずれかに記載の構築物における自動消火システムにおいて、
前記水槽は、
槽内の水位を監視する水位計を屋内に有し、槽内の水位が低下したとき、槽内に給水するための補水用給水栓が給水配管に配設されていること
を特徴とするものである。
【００１１】
また、この発明の請求項５に記載の発明は、
請求項１〜４のいずれかに記載の構築物における自動消火システムにおいて、
前記水槽は、
前記スプリンクラーの作動で槽内が負圧となった時作動する通気弁を有すること
を特徴とするものである。
【００１２】
また、この発明の請求項６に記載の発明は、
請求項１〜５のいずれかに記載の構築物における自動消火システムにおいて、
前記水槽は、
浴室やトイレなどの水周りに給水可能な非常用給水栓を具備していること
を特徴とするものである。
【発明の効果】
【００１３】
この発明の構築物における自動消火システムは、防火用の水槽を躯体の剛心上に配置するので、一般的に重量物を天井付近に置くことは耐震上不利と言われる戸建て住宅であっても、火災による出火を消すための防火用水をあらかじめ構築物内、それも天井付近に配置することが可能となった。
【００１４】
また、この発明においては、所定量の水を貯留可能な水槽を躯体の剛心上に配置するので、どの方向からの地震力に対しても一定の抵抗をし、揺れを抑えることができるものである。特に、水槽内に水の動きに対応して水平回転する羽根部材を配置し、かつこの羽根部材によって水槽内を複数の領域に区画する際、各領域内の水を相互に連通可能とすることによって、羽根部材が水の抵抗を受け、あらゆる方向の地震力に対し、均一の抵抗を示し、揺れを最小限に抑え、構築物の倒壊を防止することが可能となる。
【００１５】
また、地震の規模が大きく、構築物が倒壊した場合には、天井付近に配置された水槽から貯留した水が一気に流れ出し、火災発生に伴う二次災害を最小限に抑えることができるなど実用上多大の利点を有するものである。
【発明を実施するための最良の形態】
【００１６】
以下、この発明にかかる構築物における自動消火システムを、添付の図面に基づいて具体的に説明するに、図１は、この発明にかかる構築物における自動消火システムの概略を示すものであって、戸建て住宅などの構築物１の屋根を支える根太上で、かつ剛心部に所要の水量を貯留することができる水槽２を配置する。
【００１７】
この水槽２を配置する剛心（壁の強さの中心）は、躯体の耐力壁を基準に算出することができるが、躯体の重さの中心である重心とは往々にして位置が異なることがあるので、好ましくは、新たに耐力壁を増やして剛心位置を、躯体の重心位置に近接させた上で水槽２を配置することが好ましい。
【００１８】
前記水槽２は、図２、図３で明らかなように、全体が円筒状をなす槽本体２ａと、その開口部を閉止する蓋体２ｂとからなるもので、この槽本体２ａの中心部に軸３を回転自在に立設するとともに、軸３の外周部に４枚の羽根部材４ａ，４ｂ，４ｃ，４dを十文字状になるよう均等に配設固定したものである。なお、この羽根部材は複数枚で構成されるものであれば、その数には特段の限定はない。
【００１９】
前記軸３の上端部は蓋体２ｂの裏面中央部に設けられた軸受に、下端部は槽本体２ａの底面中央部に設けられた軸受によってそれぞれ回転自在に支承されるもので、槽本体２ａ内は、前記４枚の羽根部材４ａ，４ｂ，４ｃ，４dによって、４つの部屋A，Ｂ，Ｃ，Ｄに区画されているが、各羽根部材４ａ，４ｂ，４ｃ，４dの軸３側の下部は、図３で明らかなように矩形状の切欠き５がそれぞれ形成されている。したがって、羽根部材で区画された部屋Aは隣接する部屋ＢとＤに、部屋Ｂは隣接する部屋ＡとＣに、部屋Ｃは隣接する部屋ＢとＤに、部屋Ｄは隣接する部屋ＣとＡにそれぞれ連通しているので、各部屋A，Ｂ，Ｃ，Ｄは、結果的に相互に連通するよう構成されている。
【００２０】
また、この水槽２は、地下に埋設された給水管６と給水配管７で連結するもので、給水配管７の一部には、図示しないが、屋内の所要部位に配置された水槽２内の水位を常時監視することのできる水位計によって、所定の水位以下になった場合、水槽２内に水を補給するための補水用給水栓８が設けられている。
【００２１】
また、水槽２には配水管９が連結され、配水管９の所要部位には、屋内に設置されたスプリンクラー１０，１０が配置され、先端部には、断水時に水槽２内の水を非常用として使用することができるよう非常用給水栓１１が設けられている。
【００２２】
前記スプリンクラー１０，１０は、２階ないし３階建ての場合には、所要の部屋に配置されるので、配水管９も各スプリンクラーに配水可能に設置されるものであるが、配水管９の設置方法やその経路については特段の制限はない。また、配置される各スプリンクラーは、前記配水管９とスプリンクラーヘッドが直結するもので、火災が発生し、あらかじめ定められた温度、たとえば温度６０℃で温度感知センサー（図示せず）が作動し、警報器１２が鳴動し、住人に火災の発生を報知し、周辺がたとえば温度７０℃になると、スプリンクラー１０が開栓して散水を始めるものである。
【００２３】
このスプリンクラー１０が開栓して散水を始めると、水槽２内は負圧となるので、水槽２の蓋体２ｂに設けられた通気弁１３が作動し、自動的に水槽２内に空気の取入れを開始するので、スプリンクラー１０は順調に散水することができる。
【００２４】
前記水槽２は、屋根を支える根太上に取付けられた基台１４上に固定されたのち、給水配管７を使用して、槽本体２ａ内に給水されるものであるが、槽本体２ａの容量は０．５〜２．０ｔ（５００〜２０００ｌ）以内であるが、構築物１の大きさに合わせて自在に選択することができる。
【００２５】
かくして水槽２内に一定量の水を満たした状態で地震が起きると、水槽２内の水が振動によって揺れ動くが、その際、水が波立つ程度の水位ｌまで水槽２に水を供給しておくもので、図４に示すように、振動が水槽２の対して横方向から作用すると、水は各部屋の中心部から槽壁方向に移動し、羽根部材に沿って内側に移動して渦巻くように作用し、かつ羽根部材がこの渦巻き現象によって水平方向に回転し、各部屋Ａ，Ｂ，Ｃ，Ｄはいずれも切欠き５によって相互に連通しているので、波が互いに干渉し合って振動を吸収し、構造物１の揺れを最小限度にする。
【００２６】
また、図５に示すように、振動が水槽２の対して斜め方向から作用しても、羽根部材が水の作用によって回転し、波が互いに干渉し合って振動を吸収し、構築物１の揺れを最小限度にするものである。
【００２７】
さらに、地震の規模が大きく、構築物１が倒壊した場合には、水槽２自体も損壊し、槽内の水が流出し、あるいは給水配管７や配水管９が損傷し、火災発生による二次災害を最小限度に抑えることが可能となる。
【００２８】
なお、構築物１の天井付近の剛心部に水槽２を配置するに際し、屋根が瓦などで葺かれ重たい場合には、屋根を軽くし、水槽２を配置したとき、重たくなった屋根分の必要壁量を補うことができる。
【図面の簡単な説明】
【００２９】
【図１】この発明にかかる構築物における自動消火システムの概略を示す説明図である。
【図２】図１に示す自動消火システムを構成する水槽の平面図である。
【図３】同一部切欠き側面図である。
【図４】水槽が側面方向から振動を受けた場合の水の動きを示す説明図である。
【図５】水槽が斜め方向から振動を受けた場合の水の動きを示す説明図である。
【符号の説明】
【００３０】
１                      構築物
２                      水槽
２ａ                    槽本体
２ｂ                    蓋体
３                      軸
４ａ，４ｂ，４ｃ，４ｄ  羽根部材
５                      切欠き
６                      給水管
７                      給水配管
８                      補水用給水栓
９                      配水管
１０                    スプリンクラー
１１                    非常用給水栓
１２                    警報器
１３                    通気弁
１４                    基台
【図１】
2005334349.tif 000003
【図２】
2005334349.tif 000004
【図３】
2005334349.tif 000005
【図４】
2005334349.tif 000006
【図５】
2005334349.tif 000007